(57)【特許請求の範囲】
【請求項１】
配管を開閉するバルブに取り付けられ、当該バルブの開閉状態を表示するバルブ開閉状態表示装置において、
前記バルブに付与された固有情報を表示する固有情報表示領域、及び前記バルブの通常時における開閉状態を表示する第１通常開閉状態表示領域を有する第１表示手段と、
前記第１通常開閉状態表示領域に重ねて着脱自在に取り付けられ、前記第１通常開閉状態表示領域に表示されている開閉状態とは異なる開閉状態を表示する非通常開閉状態表示領域を有する第２表示手段とを備え、
前記固有情報表示領域及び前記第１通常開閉状態表示領域は、前記固有情報に対応するバルブが通常時において開放の場合には第１表示色に着色されており、前記固有情報に対応するバルブが通常時において閉鎖の場合には前記第１表示色とは異なる第２表示色に着色されており、
前記非通常開閉状態表示領域は、前記固有情報に対応するバルブが通常時において開放の場合には前記第２表示色に着色されており、前記固有情報に対応するバルブが通常時において閉鎖の場合には前記第１表示色に着色されていることを特徴とするバルブ開閉状態表示装置。
【請求項２】
前記固有情報が付与されている複数の前記バルブの開閉状態を個々に表示する開閉状態表示領域を有し、各バルブの開閉状態を一覧表示するバルブ開閉状態表示板を備え、
前記開閉状態表示領域は、前記固有情報表示領域と同一表示態様の表示板固有情報表示領域、及び通常時において前記第２表示手段を取り付ける取付領域を有し、
前記第２表示手段は、前記非通常開閉状態表示領域の裏面に、前記固有情報表示領域及び前記第１通常開閉状態表示領域の表示内容を表示しかつ前記第１通常開閉状態表示領域と同一の表示色に着色された第２通常開閉状態表示領域を有し、
前記取付領域は、前記非通常開閉状態表示領域と同一色に着色され、かつ前記非通常開閉状態表示領域に表示された開閉状態を表示することを特徴とする請求項１記載のバルブ開閉状態表示装置。
【請求項３】
前記開閉状態表示領域は、前記バルブ開閉状態表示板の板面に磁力によって吸着する吸着部材に形成されていることを特徴とする請求項２記載のバルブ開閉状態表示装置。
【請求項４】
前記第１表示手段は、前記第１通常開閉状態表示領域に鉄板を設け、
前記第２表示手段は、マグネット部材を有するタブレット体からなることを特徴とする請求項１乃至３のいずれか１項記載のバルブ開閉状態表示装置。
【請求項５】
前記バルブに巻き付けるベルト状の面ファスナを備え、
前記第１表示手段は、前記固有情報表示領域及び前記第１通常開閉状態表示領域を有する面の裏面に、ベルト状の面ファスナを挿通する挿通部を有し、前記挿通部に挿通した面ファスナを前記バルブに巻き付けてから前記面ファスナの両端部を密着させて、前記バルブに取り付けられることを特徴とする請求項１乃至４のいずれか１項記載のバルブ開閉状態表示装置。
【請求項６】
前記固有情報表示領域及び前記第１通常開閉状態表示領域は、上下方向に並列し、
前記挿通部は、前記面ファスナを上下方向、及び当該上下方向に対して直角方向に挿通可能な孔部を有することを特徴とする請求項５記載のバルブ開閉状態表示装置。
【発明の詳細な説明】
【技術分野】
【０００１】
本発明は、発電所における各種の配管に設けられたバルブの開閉状態を表示するバルブ開閉状態表示装置に関する。
【背景技術】
【０００２】
従来、発電所の作業員が、配管のバルブを開閉する操作を行う際、バルブが閉じているのか開いているのか、外観だけでは容易に確認することはできない。
【０００３】
そこで、従来、特許文献１に開示された技術が提案されている。特許文献１によれば、ハンドルの回転操作に連動して回転する指示回転板を設け、この指示回転板の回転量によってバルブがどのくらい開放されているかが分かるようにしたことが開示されている。
【先行技術文献】
【特許文献】
【０００４】
【特許文献１】特開平８−１２１６４５号公報
【発明の概要】
【発明が解決しようとする課題】
【０００５】
ところで、バルブが閉じているのか開いているのか、外観だけでは容易にする確認することはできない場合に、バルブの開閉状態を確認するには、実際にバルブを開閉してみるしかない。しかしながら、バルブの開閉状態を確認する際、一つ一つのバルブのハンドルを回して確認することは、配管内の流体の流れに影響を及ぼすおそれがある。
【０００６】
そこで、既存のバルブを、開閉状態表示付のバルブに取り換えることが考えられる。しかし、一つ一つのバルブを取り換えることは、莫大なコスト高につながる。また、バルブが開放されているか閉鎖されているかを判別できるとしても、通常時において、バルブが開放されているべきものか閉鎖されているべきものかについては判別できない。
【０００７】
本発明は、このようか課題を解決し、現時点においてバルブが開放されているか閉鎖されているかを判別できるとともに、通常時において、バルブが開放されているべきものか閉鎖されているべきものかについて判別できるようなバルブ開閉状態表示装置を提供することを目的とする。
【課題を解決するための手段】
【０００８】
前記目的を達成するため、本発明は、次に記載する構成を備えている。
【０００９】
（１）  配管を開閉するバルブに取り付けられ、当該バルブの開閉状態を表示するバルブ開閉状態表示装置において、前記バルブに付与された固有情報を表示する固有情報表示領域、及び前記バルブの通常時における開閉状態を表示する第１通常開閉状態表示領域を有する第１表示手段と、前記第１通常開閉状態表示領域に重ねて着脱自在に取り付けられ、前記第１通常開閉状態表示領域に表示されている開閉状態とは異なる開閉状態を表示する非通常開閉状態表示領域を有する第２表示手段とを備え、前記固有情報表示領域及び前記第１通常開閉状態表示領域は、前記固有情報に対応するバルブが通常時において開放の場合には第１表示色に着色されており、前記固有情報に対応するバルブが通常時において閉鎖の場合には前記第１表示色とは異なる第２表示色に着色されており、前記非通常開閉状態表示領域は、前記固有情報に対応するバルブが通常時において開放の場合には前記第２表示色に着色されており、前記固有情報に対応するバルブが通常時において閉鎖の場合には前記第１表示色に着色されていることを特徴とするバルブ開閉状態表示装置。
【００１０】
（１）によれば、通常時においては、第１表示手段から第２表示手段を外しておくことにより、通常時においてバルブが開放なのか閉鎖なのかを第１通常開閉状態表示領域を視認することによって判別することが可能になる。さらに、バルブを操作する場合には、第１通常開閉状態表示領域に第２表示手段を重ねて、第１通常開閉状態表示領域を非通常開閉状態表示領域に変更する。この非通常開閉状態表示領域を視認することにより、現在、バルブが通常時の状態とは異なる状態、すなわち、通常時の状態が開放の場合には、現在、閉鎖状態であること、通常時の状態が閉鎖の場合には、現在、開放状態であることが判る。また、例えば、第１表示色が「赤」、第２表示色が「緑」とした場合、通常時においては開放となるバルブの場合には、第１表示手段の固有情報表示領域及び第１通常開閉状態表示領域がともに「赤」となるため、現在、バルブが開放されていることが色によって判別することが可能になる。また、バルブの操作時においては、第１通常開閉状態表示領域に第２表示手段を重ねて、第１通常開閉状態表示領域を非通常開閉状態表示領域に変更することにより、表示色が赤から緑に変わる。このため、固有情報表示領域の赤と非通常開閉状態表示領域の緑を視認することにより、通常時は開放であるが、現時点では閉鎖されていることが判る。このように、現時点でバルブが開放されているか閉鎖されているかを判別できるとともに、通常時において、バルブが開放されているべきものか閉鎖されているべきものかについて判別することが可能なバルブ開閉状態表示装置を提供することが可能になる。
【００１１】
（２）  （１）において、前記固有情報が付与されている複数の前記バルブの開閉状態を個々に表示する開閉状態表示領域を有し、各バルブの開閉状態を一覧表示するバルブ開閉状態表示板を備え、前記開閉状態表示領域は、前記固有情報表示領域と同一表示態様の表示板固有情報表示領域、及び通常時において前記第２表示手段を取り付ける取付領域を有し、前記第２表示手段は、前記非通常開閉状態表示領域の裏面に、前記固有情報表示領域及び前記第１通常開閉状態表示領域の表示内容を表示しかつ前記第１通常開閉状態表示領域と同一の表示色に着色された第２通常開閉状態表示領域を有し、前記取付領域は、前記非通常開閉状態表示領域と同一色に着色され、かつ前記非通常開閉状態表示領域に表示された開閉状態を表示することを特徴とするバルブ開閉状態表示装置。
【００１２】
（２）によれば、バルブ開閉状態表示板において、所定の固有情報に対応する開閉状態表示領域の取付領域に第２表示手段が取り付けられている場合には、所定の固有情報に対応するバルブが、通常時の開閉状態であり、第２表示手段が取り外されている場合には、所定の固有情報に対応するバルブが、非通常開閉状態であることが判別できる。また、例えば、第１表示色が「赤」、第２表示色が「緑」とした場合、通常時において開放されるバルブに対応する開閉状態表示領域の表示板固有情報表示領域は「赤」となり、さらに取付領域に、第２通常開閉状態表示領域を表示させるように第２表示手段を取り付けることにより、開閉状態表示領域全体が「赤」になる。これにより、バルブ開閉状態表示板の開閉状態表示領域の表示色によって、通常時で開放されるバルブであると判別することが可能になる。また、第２表示手段を、第１通常開閉状態表示領域に取り付けるために、取付領域から外した場合、「緑」に着色された取付領域が視認されるようになる。このため、所定の固有情報に対応するバルブは、通常時は開放であるが、現時点では閉鎖されていることが、バルブ開閉状態表示板の開閉状態表示領域の表示色によって判るようになる。
【００１３】
（３）  （２）において、前記開閉状態表示領域は、前記バルブ開閉状態表示板の板面に磁力によって吸着する吸着部材に形成されていることを特徴とするバルブ開閉状態表示装置。
【００１４】
（３）によれば、バルブの数に応じて、バルブ開閉状態表示板における開閉状態表示領域の数を容易に増減させることが可能になる。
【００１５】
（４）  （１）〜（３）において、前記第１表示手段は、前記第１通常開閉状態表示領域に鉄板を設け、前記第２表示手段は、マグネット部材を有するタブレット体からなることを特徴とするバルブ開閉状態表示装置。
【００１６】
（４）によれば、第１表示手段の第１通常開閉状態表示領域に対して、第２表示手段をマグネット部材の磁力によって吸着させるために、第２表示手段の着脱が容易になる。
【００１７】
（５）  （１）〜（４）において、前記バルブに巻き付けるベルト状の面ファスナを備え、前記第１表示手段は、前記固有情報表示領域及び前記第１通常開閉状態表示領域を有する面の裏面に、ベルト状の面ファスナを挿通する挿通部を有し、前記挿通部に挿通した面ファスナを前記バルブに巻き付けてから前記面ファスナの両端部を密着させて、前記バルブに取り付けられることを特徴とするバルブ開閉状態表示装置。
【００１８】
（５）によれば、面ファスナを用いてバルブ開閉状態表示装置をバルブに容易に取り付けることが可能になる。
【００１９】
（６）  （５）において、前記固有情報表示領域及び前記第１通常開閉状態表示領域は、上下方向に並列し、前記挿通部は、前記面ファスナを上下方向、及び当該上下方向に対して直角方向に挿通可能な孔部を有することを特徴とするバルブ開閉状態表示装置。
【００２０】
（６）によれば、バルブの方向に応じて、面ファスナの挿通方向を変えることが可能になる。これにより、固有情報表示領域及び前記第１通常開閉状態表示領域が見易くなるように、しかも容易にバルブ開閉状態表示装置をバルブに取り付けることが可能になる。
【発明の効果】
【００２１】
本発明によれば、現時点でバルブが開放されているか閉鎖されているかを判別できるとともに、通常時において、バルブが開放されているべきものか閉鎖されているべきものかについて判別することが可能なバルブ開閉状態表示装置を提供することが可能になる。
【図面の簡単な説明】
【００２２】
【図１】本発明の一実施形態におけるバルブ開閉状態表示装置の概要を示す斜視図である。
【図２】本発明の一実施形態に係るバルブ開閉状態表示具の外観を示す斜視図である。
【図３】図２のバルブ開閉状態表示具をバルブに取り付けた状態を示す正面図である。
【図４】表示変更タブレットの背面側を示す斜視図である。
【図５】図２の背面側の斜視図である。
【図６】図２のバルブ開閉状態表示具をバルブに取り付けた状態を示す正面図である。
【図７】バルブ開閉状態表示板を示す説明図である。
【図８】表示板用バルブ開閉状態表示部材の構成を示す斜視図である。
【図９】表示板用バルブ開閉状態表示部材の使用時の状態を示す斜視図である。
【図１０】表示板用バルブ開閉状態表示部材の使用時の状態を示す斜視図である。
【図１１】複数のバルブを有する配管系統おける通常時のバルブ開閉状態表示具の表示例を示す説明図である。
【図１２】複数のバルブを有する配管系統においてバルブを切り換えた場合のバルブ開閉状態表示具の表示例を示す説明図である。
【発明を実施するための形態】
【００２３】
以下、本発明の実施形態について、図面を参照しながら詳細に説明する。
【００２４】
図１は、本発明の一実施形態におけるバルブ開閉状態表示装置の概要を示す説明図である。バルブ開閉状態表示装置１は、バルブ１００に取り付けるバルブ開閉状態表示具５と、管理室などに設けたバルブ開閉状態表示板５０とを備えており、バルブ開閉状態表示板５０とバルブ開閉状態表示具５との間で、表示変更タブレット２０を移動させることにより、バルブ開閉状態表示具５及びバルブ開閉状態表示板５０の表示を変更するものである。
【００２５】
図２は、本発明の一実施形態に係るバルブ開閉状態表示具の外観を示す斜視図である。図３は図２のバルブ開閉状態表示具をバルブに取り付けた状態を示す正面図である。図２に示すように、バルブ開閉状態表示具５は、第１表示手段に相当する通常状態表示部材１０、第２表示手段に相当する表示変更タブレット２０、及び面ファスナ３０によって構成されている。そして、バルブ開閉状態表示具５は、図３に示すように、バルブ１００に面ファスナ３０によって取り付けられ、バルブ１００の開閉状態を表示する。
【００２６】
次に、バルブ開閉状態表示具５の構成について、図２を参照しながら説明する。通常状態表示部材１０は、正面視した場合に正方形であり、側面視した場合に中央に段差が形成されており、この段差によって上段部１２と下段部１４の二段に分けられた段状部材である。
【００２７】
上段部１２の上面には、バルブに付与された固有番号を表示する固有情報表示領域１２ａが形成されている。また、下段部１４の上面には、通常におけるバルブの開閉状態を表示する第１通常開閉状態表示領域１４ａが形成されている。また、通常状態表示部材１０を正面視した場合に、段差のラインは、正方形を二等分しているため、固有情報表示領域１２ａと第１通常開閉状態表示領域１４ａとは同型である。なお、固有情報表示領域１２ａ及び前記第１通常開閉状態表示領域１４ａが、上下方向に並列されており、固有情報表示領域１２ａの下方に第１通常開閉状態表示領域１４ａが配置されている。
【００２８】
表示変更タブレット２０は、下段部１４上に重ねる直方体型の部材であり、図３に示すように、下段部１４上に表示変更タブレット２０を重ねた場合、通常状態表示部材１０と表示変更タブレット２０とによって、側面が長方形の直方体型が構成される。
【００２９】
通常状態表示部材１０及び表示変更タブレット２０は、プラスチック材を、例えば、射出成型することによって、製造される。ここで、通常状態表示部材１０の内部には、鉄板１６が埋め込まれ、表示変更タブレット２０の内部には、マグネット２６が埋め込まれている。鉄板１６は、固有情報表示領域１２ａ及び第１通常開閉状態表示領域１４ａの背後に位置付けられている。これにより、通常状態表示部材１０の下段部１４上に表示変更タブレット２０を重ねた場合、表示変更タブレット２０内部のマグネット２６が、通常状態表示部材１０内の鉄板１６に吸着するように磁力が働くため、通常状態表示部材１０の下段部１４上に表示変更タブレット２０を重ねた状態が維持される。
【００３０】
なお、図２に示す例においては、鉄板１６が、固有情報表示領域１２ａ及び第１通常開閉状態表示領域１４ａの背後に位置付けられているが、それに限らず、通常状態表示部材１０の背後にのみ設けてもよい。また、図２に示す例においては、鉄板１６が通常状態表示部材１０の内部に埋め込まれているものであるが、それに限らず、鉄板１６を下段部１４の上面に貼着し、鉄板１６の板面に第１通常開閉状態表示領域１４ａを形成してもよい。
【００３１】
表示変更タブレット２０における正面側の長方形の面には、第１通常開閉状態表示領域１４ａに表示されている開閉状態とは異なる開閉状態を表示する非通常開閉状態表示領域２０ａが形成されている。すなわち、第１通常開閉状態表示領域１４ａに、バルブが開放状態である旨が表示されている場合には、非通常開閉状態表示領域２０ａに、バルブが閉鎖状態である旨が表示される。逆に、第１通常開閉状態表示領域１４ａに、バルブが閉鎖状態である旨が表示されている場合には、非通常開閉状態表示領域２０ａに、バルブが開放状態である旨が表示される。
【００３２】
また、表示変更タブレット２０における、非通常開閉状態表示領域２０ａが形成されている面の反対面には、図４に示すように、固有情報表示領域１２ａ（図２参照）と第１通常開閉状態表示領域１４ａ（図２参照）との表示内容を合わせて表示する第２通常開閉状態表示領域２０ｂが形成されている。
【００３３】
このように、第１通常開閉状態表示領域１４ａ、非通常開閉状態表示領域２０ａ及び第２通常開閉状態表示領域２０ｂは、バルブが開放状態であるか閉鎖状態であるかが表示されている。ここで、開放状態を表示する領域は、「赤」に着色され、閉鎖状態を表示する領域は「緑」に着色されている。このように、第１通常開閉状態表示領域１４ａ、非通常開閉状態表示領域２０ａ及び第２通常開閉状態表示領域２０ｂに着色した色は、第１表示色及び第２表示色に相当する。固有情報表示領域１２ａには、第１通常開閉状態表示領域１４ａと同一色が着色されている。
【００３４】
次に、バルブ開閉状態表示具５の表示例について、図２、図４を用いて説明する。まず、バルブ開閉状態表示具５を取り付けるバルブ１００は、「Ｆ１０１」という固有番号が付与され、通常時には開放されているものとする。このバルブ１００に取り付けるバルブ開閉状態表示具５の固有情報表示領域１２ａには「Ｆ１０１」という文字が表示されている。また、第１通常開閉状態表示領域１４ａには「常時開」という文字が表示されている。また、非通常開閉状態表示領域２０ａには「Ｆ１０１  閉」という文字が表示されている。また、第２通常開閉状態表示領域２０ｂには「Ｆ１０１  常時開」という文字が表示されている。さらに、固有情報表示領域１２ａ、第１通常開閉状態表示領域１４ａ及び第２通常開閉状態表示領域２０ｂには、「赤」が着色され、非通常開閉状態表示領域２０ａには、「緑」が着色されている。このため、固有番号が「Ｆ１０１」のバルブ開閉状態表示具５は、表示変更タブレット２０が取り付けられていない場合には、全体に「赤」が表示され、表示変更タブレット２０が取り付けられた場合には、上方が「赤」、下方が「緑」に表示される。
【００３５】
図５は、図２の背面側の斜視図である。通常状態表示部材１０の裏側には、帯状の面ファスナ３０を挿入するための挿入部３８が形成されている。挿入部３８は、通常状態表示部材１０の背面よりも小さい正方形の正方形板３８ａと、この正方形板３８ａを通常状態表示部材１０の裏面に対して離間した位置に配置するように支持する４本の支持脚３８ｂとから構成されている。４本の支持脚３８ｂは、正方形板３８ａの４つの角部から、対角線方向に沿って外側に延在しており、正方形板３８ａの４つの角部において曲げ部が形成されている。そして、４本の支持脚３８ｂの先端部は、通常状態表示部材１０の裏面における角部近傍に固定されている。これにより、正方形板３８ａと支持脚３８ｂとの間に、段差のラインに沿った方向、すなわち上下方向に対して直角方向に延びる孔部３８ｃと、上下方向に延びる孔部３８ｄが形成される。なお、正方形板３８ａ及び４つの支持脚３８ｂは、通常状態表示部材１０の射出成型時において形成される。
【００３６】
そして、孔部３８ｃに面ファスナ３０を挿通し、面ファスナ３０をバルブに巻き付けてから面ファスナ３０の両端部を密着させることにより、図３に示すように、バルブ１００にバルブ開閉状態表示具５が取り付けられる。なお、図３に示すバルブ１００は縦方向に設置されているが、バルブ１００が横方向の場合には、孔部３８ｄに面ファスナ３０を挿通して、図６に示すように取り付ける。このように、バルブ１００の方向に応じて、面ファスナ３０を挿通する孔部を選択することにより、バルブ開閉状態表示具５の表示を見易くすることが可能になる。
【００３７】
次に、バルブ開閉状態表示具５の使用例について、図３を参照しながら説明する。通常時においては、図３（ａ）に示すように、通常状態表示部材１０に表示変更タブレット２０は取り付けられていない。このため、固有情報表示領域１２ａ及び第１通常開閉状態表示領域１４ａが視認可能である。作業者は、表示変更タブレット２０がないことから現時点は通常状態であると判別することができる。また、第１通常開閉状態表示領域１４ａの「常時開」という表示を視認することによって、バルブ１００は、通常時において開放されるべきものであり、現時点で開放状態であることがわかる。さらに、固有情報表示領域１２ａ及び第１通常開閉状態表示領域１４ａは、ともに「赤」に着色されているため、例えば、作業員が第１通常開閉状態表示領域１４ａの文字が視認できない場合であっても、バルブ開閉状態表示具５の全体が「赤」であることを認識することによって、バルブ１００は現時点で開放されていると判別することが可能になる。なお、通常時において、バルブ１００に取り付けられたバルブ開閉状態表示具５の表示変更タブレット２０は、後述するバルブ開閉状態表示板５０（図７参照）に吸着させている。
【００３８】
バルブ１００を閉鎖する場合には、バルブ１００の開閉を行う作業員が、バルブ開閉状態表示板５０（図７参照）から、閉鎖するバルブ１００の固有番号が表示されている表示変更タブレット２０を取り外し、図３（ｂ）に示すように、表示変更タブレット２０を第１通常開閉状態表示領域１４ａに重ねて取り付ける。これにより、図３（ｃ）に示すように、第１通常開閉状態表示領域１４ａの表示が非通常開閉状態表示領域２０ａの表示に変更される。なお、表示変更タブレット２０は、内部に設けたマグネット２６が通常状態表示部材１０内の鉄板１６に吸着することにより、通常状態表示部材１０に取り付けた状態で維持される。
【００３９】
これにより、バルブ１００の開閉を行う作業員以外の作業員は、表示変更タブレット２０が存在することから現時点で開閉状態が切り換えられていると判別することができる。さらに、非通常開閉状態表示領域２０ａの「Ｆ１０１  閉」という表示を視認することによって、バルブ１００は、現時点で閉鎖状態であることが判る。さらに、固有情報表示領域１２ａは「赤」、非通常開閉状態表示領域２０ａは「緑」に着色されているため、例えば、作業員が非通常開閉状態表示領域２０ａの文字が視認できない場合であっても、上方が「赤」で下方が「緑」であることを認識することによって、バルブ１００は、通常時においては開放されるべきであるが、現時点では閉鎖されていることが判る。
【００４０】
図７はバルブ開閉状態表示板を示す説明図である。バルブ開閉状態表示板５０は、マグネット部材が吸着可能な平面板であり、このバルブ開閉状態表示板５０に、表示板用バルブ開閉状態表示部材６０が配置される。表示板用バルブ開閉状態表示部材６０は、内部にマグネット６６（図８参照）が埋め込まれており、このマグネット６６の磁力によって、表示板用バルブ開閉状態表示部材６０は、バルブ開閉状態表示板５０に吸着された状態で維持される。また、表示板用バルブ開閉状態表示部材６０は、複数のバルブ１００に個々に用意されており、複数の表示板用バルブ開閉状態表示部材６０が、バルブ開閉状態表示板５０に並べて配置される。
【００４１】
図８は、表示板用バルブ開閉状態表示部材の構成を示す斜視図である。表示板用バルブ開閉状態表示部材６０は、正面視した場合に正方形であり、側面視した場合に中央に段差が形成されており、この段差によって上段部６２と下段部６４の二段に分けられた段状部材である。ここで、表示板用バルブ開閉状態表示部材６０は、通常状態表示部材１０（図２参照）から挿入部３８（図５参照）を除去して背面を平面に形成したものと同一形状である。
【００４２】
上段部６２の上面には、バルブに付与された固有番号を表示する表示板固有情報表示領域６２ａが形成されている。また、下段部６４の上には、通常時において表示変更タブレット２０を取り付ける取付領域６４ａが形成されている。表示板固有情報表示領域６２ａには、固有情報表示領域１２ａ（図２参照）と同様に、バルブに付与された固有番号が表示されている。また、取付領域６４ａには、表示変更タブレット２０の非通常開閉状態表示領域２０ａと同一色が着色されており、かつ非通常開閉状態表示領域２０ａ（図２参照）に表示された開閉状態が表示されている。
【００４３】
また、表示板用バルブ開閉状態表示部材６０において、マグネット６６は、上段部６２及び下段部６４に渡って埋め込まれた板状のものである。ここで、マグネット６６は、下段部６４において、表示変更タブレット２０における第２通常開閉状態表示領域２０ｂ側の磁極と同じ磁極が取付領域６４ａに対向するように埋め込まれている。このため、表示板用バルブ開閉状態表示部材６０に表示変更タブレット２０を吸着させる際に、非通常開閉状態表示領域２０ａと取付領域６４ａとを重ね合わせた場合にのみ、表示変更タブレット２０が表示板用バルブ開閉状態表示部材６０に吸着する。したがって、表示板用バルブ開閉状態表示部材６０に表示変更タブレット２０を吸着させた場合には、第２通常開閉状態表示領域２０ｂが視認可能な状態となる。
【００４４】
次に、表示板用バルブ開閉状態表示部材６０の表示例について説明する。例えば、「Ｆ１０１」という固有番号が付与されたバルブ１００は、通常時には開放されているものとする。このバルブ１００の開閉状態を表示する表示板用バルブ開閉状態表示部材６０の表示板固有情報表示領域６２ａには「Ｆ１０１」という文字が表示されている。また、取付領域６４ａには「閉」という文字が表示されている。表示板固有情報表示領域６２ａには、「赤」が着色され、取付領域には、「緑」が着色されている。このため、固有番号が「Ｆ１０１」の表示板用バルブ開閉状態表示部材６０は、表示変更タブレット２０が取り付けられていない場合には、上方が「赤」、下方が「緑」に表示され、表示変更タブレット２０が取り付けられた場合には、全体に「赤」が表示される。
【００４５】
次に、バルブ開閉状態表示板５０の使用例について、図７、図９〜図１２を参照しながら説明する。図７に示すバルブ開閉状態表示板５０は、例えば、図１１に示すディーゼルエンジンに対して燃料を供給するための配管系統に設けられた、固有番号がＦ１０１〜Ｆ１２９のバルブ１００の開閉状態を表示する。ここで、図１１に示す配管系統におけるバルブ１００には、同一の固有番号が表示されているバルブ開閉状態表示具５がそれぞれ装着されている。また、バルブ開閉状態表示板５０には、Ｆ１０１〜Ｆ１２９の固有番号が表示された表示板用バルブ開閉状態表示部材６０が、固有番号順に並列配置されている。
【００４６】
通常時においては、表示変更タブレット２０が表示板用バルブ開閉状態表示部材６０に取り付けられており、第２通常開閉状態表示領域２０ｂが視認可能な状態となる。ここで、表示板固有情報表示領域６２ａと第２通常開閉状態表示領域２０ｂとは同色であることから、例えば、通常時において開放されている固有番号Ｆ１０１のバルブ１００に対応する表示板用バルブ開閉状態表示部材６０は、赤く表示されており、バルブ開閉状態表示具５も同様に赤く表示されている。また、通常時において閉鎖されている固有番号Ｆ１０６のバルブ１００に対応する表示板用バルブ開閉状態表示部材６０は、緑が表示されており、バルブ開閉状態表示具５も同様に緑が表示されている。
【００４７】
次に、図１１に示す配管系統から、例えば、点検のために燃料を抜き取る場合には、固有番号が、Ｆ１０１、Ｆ１０２、Ｆ１０５、Ｆ１０６、Ｆ１１０、Ｆ１１５、Ｆ１１８及びＦ１２３のバルブ１００の開閉状態を変える。バルブ１００の開閉作業を行う際には、図９に示すように、開閉作業を行う固有番号に対応する表示板用バルブ開閉状態表示部材６０から表示変更タブレット２０を外し、この表示変更タブレット２０をバルブ開閉状態表示具５の第１通常開閉状態表示領域１４ａ上に、非通常開閉状態表示領域２０ａを表に向けて取り付ける。これにより、図１０に示すように、バルブ開閉状態表示板５０を見て、取付領域６４ａにおける表示変更タブレット２０の有無により、現在、配管系統において開閉状態が切り換えられているバルブ１００を把握することが可能になる。さらに、取付領域６４ａの表示を視認することにより、バルブ１００の開閉状態を把握することが可能になる。また、表示板用バルブ開閉状態表示部材６０の表示が見えなくても、表示板用バルブ開閉状態表示部材６０において上下の色が異なっている表示板用バルブ開閉状態表示部材６０に対応するバルブ１００は、現時点で切り換えられていると判別できる。具体的に、図１０において、固有番号がＦ１０１の表示板用バルブ開閉状態表示部材６０を視認することにより、固有番号がＦ１０１のバルブ１００は、通常時においては開放であるが、現時点においては閉鎖されていることが、表示内容あるいは色によって判別できる。また、固有番号がＦ１０６のバルブ１００は、通常時においては閉鎖であるが、現時点においては開放されていることが、表示内容あるいは色によって判別できる。
【００４８】
また、図１２に示すように、バルブ開閉状態表示具５における色の表示態様は、同一の固有番号の表示板用バルブ開閉状態表示部材６０における色の表示態様に一致している。このため、バルブ開閉状態表示具５あるいは表示板用バルブ開閉状態表示部材６０のいずれかを視認することによって、通常時においてあるべき開閉状態、及び現時点での開閉状態を判別することが可能になる。
【００４９】
また、配管工事によって配管系統のバルブが増えた場合、あるいは減った場合には、該当する固有番号の表示板用バルブ開閉状態表示部材６０をバルブ開閉状態表示板５０に取り付けたり、あるいは取り外すことによって、バルブ開閉状態表示板５０に現状の配管系統に対応したバルブの開閉状態を表示することが可能になる。
【００５０】
このように構成した本実施形態によれば、バルブ１００の配置場所に赴いたときに、バルブ開閉状態表示具５の表示内容又は色の表示態様を視認することにより、現時点でバルブ１００が開放されているか閉鎖されているかを判別できるとともに、通常時において、バルブ１００が開放されているべきものか閉鎖されているべきものかについて判別することが可能になる。同様に、バルブ開閉状態表示板５０の表示内容又は色の表示態様を視認することにより、配管系統全体に取り付けられているバルブ１００について、現時点でバルブ１００が開放されているか閉鎖されているかを判別できるとともに、通常時において、バルブ１００が開放されているべきものか閉鎖されているべきものかを判別することが可能になる。
【００５１】
以上、本発明の実施形態について説明したが、本発明は、上述した実施形態に限るものではない。例えば、図２に示すバルブ開閉状態表示具５によれば、通常状態表示部材１０に鉄板１６を埋め込み、表示変更タブレット２０にマグネット２６を埋め込んでいるが、逆に、通常状態表示部材１０にマグネット部材を埋め込み、表示変更タブレット２０に鉄板を埋め込んでもよい。また、通常状態表示部材１０に対して鉄板１６の代わりにマグネット部材を埋め込んでもよい。さらには、表示変更タブレット２０自体をマグネットによって構成してもよい。
【符号の説明】
【００５２】
１  バルブ開閉状態表示装置
５  バルブ開閉状態表示具
１０  通常状態表示部材
１２  上段部
１２ａ  固有情報表示領域
１４  下段部
１４ａ  第１通常開閉状態表示領域
１６  鉄板
２０  表示変更タブレット
２０ａ  非通常開閉状態表示領域
２０ｂ  第２通常開閉状態表示領域
２６、６６  マグネット
３０  面ファスナ
３８  挿入部
３８ａ  正方形板
３８ｂ  支持脚
３８ｃ  孔部
３８ｄ  孔部
５０  バルブ開閉状態表示板
６０  表示板用バルブ開閉状態表示部材
６２  上段部
６２ａ  表示板固有情報表示領域
６４  下段部
６４ａ  取付領域
１００  バルブ
【図１】
0005693896.tif 000002
【図２】
0005693896.tif 000003
【図３】
0005693896.tif 000004
【図４】
0005693896.tif 000005
【図５】
0005693896.tif 000006
【図６】
0005693896.tif 000007
【図７】
0005693896.tif 000008
【図８】
0005693896.tif 000009
【図９】
0005693896.tif 000010
【図１０】
0005693896.tif 000011
【図１１】
0005693896.tif 000012
【図１２】
0005693896.tif 000013